Podtech/llm-jp-corpus-v4-ja_patent huggingface dataset:
(57)【要約】      （修正有）【課題】低コストで、支持枠と袋の選択により小用や大用に使い分けることができる簡易トイレを提供する。【解決手段】長尺のポリ袋３の上部を折り返した中に、所定の波形に加工した横長の支持枠２を取付け、該ポリ袋の底部に水分吸収剤４を投入した、男性小用簡易トイレ１。支持枠とポリ袋を選択することにより、簡単に男性小用簡易トイレ、女性小用簡易トイレ及び男女兼用簡易トイレとして使用することができる。支持枠はボール紙で製作することにより、極めて低コストで製作することができるので使い捨てとすることができる。また、水分吸収剤にチリ紙を使用すれば環境保護の観点から好ましいといえる。【選択図】図１
0003168322.tif 000002
【実用新案登録請求の範囲】
【請求項１】
長尺のポリ袋の上部を折り返した中に、所定の波形に加工した横長の支持枠を取付け、該ポリ袋の中に水分吸収剤を投入した、男性小用簡易トイレ。
【請求項２】
幅広のポリ袋の上部を折り返した中に、所定の波形に加工し中心の下部に切り込みを設けた横長の支持枠を取付け、該ポリ袋の中に水分吸収剤を投入した、女性小用簡易トイレ。
【請求項３】
幅広のポリ袋の上部を折り返した中に、所定の波形に加工し中心部に縦の折り線を設けその下部に切り込みを設けた横長の支持枠を取付け、該ポリ袋の中に水分吸収剤を投入した、男女兼用簡易トイレ。
【考案の詳細な説明】
【技術分野】
【０００１】  本考案は、緊急用の簡易トイレに関するものである。
【背景技術】
【０００２】  従来、地震等の災害やスポーツイベント等の緊急用の簡易トイレに関してはいろいろのものが提案されている。例えば下記のようなものがある。【０００３】
【特許文献１】  実用新案登録第３１５９１２３号
【特許文献２】  特開平１１−８９７５０
【考案の概要】
【考案が解決しようとする課題】
【０００４】  実用新案登録第３１５９１２３号においては、テーパー型筒を二重に用い、その筒の間に長尺のポリ袋を挟み、底部に水分吸収剤を投入した、男性小用の簡易トイレである。
これは考案としては有用なものといえるが、男性の小用に限られている。
また、特開平１１−８９７５０においては、ダンボールを船形のように長手方向を曲線状に組み立てた簡易トイレで、この中にポリ袋等を敷いて用を足すというものであり、これは女性や男性の大用にも用いることができるので、優れたものといえる。
本考案においては、もっと低コストで、支持枠と袋の選択により小用や大用に使い分けることができる簡易トイレを提案する。
【課題を解決するための手段】
【０００５】  請求項１は、長尺のポリ袋の上部を折り返した中に、所定の波形に加工した横長の支持枠を取付け、該ポリ袋の中に水分吸収剤を投入した、男性小用簡易トイレである。
請求項２は、幅広のポリ袋の上部を折り返した中に、所定の波形に加工し中心の下部に切り込みを設けた横長の支持枠を取付け、該ポリ袋の中に水分吸収剤を投入した、女性小用簡易トイレである。
請求項３は、幅広のポリ袋の上部を折り返した中に、所定の波形に加工し中心部に縦の折り線を設けその下部に切り込みを設けた横長の支持枠を取付け、該ポリ袋の中に水分吸収剤を投入した、男女兼用簡易トイレである。
【考案の効果】
【０００６】  本考案は、支持枠とポリ袋を選択することにより、簡単に男性小用簡易トイレ、女性小用簡易トイレ及び男女兼用簡易トイレとして使用することができることである。支持枠はボール紙で製作することにより、極めて低コストで製作することができるので使い捨てとすることができる。また、水分吸収剤にチリ紙を使用すれば環境保護の観点から好ましいといえる。
【図面の簡単な説明】
【０００７】
【図１】男性小用簡易トイレ
【図２】男性小用支持枠
【図３】女性小用簡易トイレ
【図４】女性小用支持枠
【図５】女性小用簡易トイレを広げて使用状態にした斜視図
【図６】男女兼用簡易トイレ
【図７】男女兼用支持枠
【図８】男女兼用簡易トイレを広げて使用状態にした斜視図
【考案を実施するための形態】
【０００８】  本考案の請求項１の男性小用簡易トイレを図１により説明する。
長尺のポリ袋（３）の上部を折り返した中に、所定の波形に加工した横長の支持枠（２）を取付け、該ポリ袋（３）の中に水分吸収剤（４）を投入する。
長尺のポリ袋（３）は市販のものを使用することができる。ポリ袋（３）の巾は平にした状態で１２０ｍｍ前後が適当と思われる。水分吸収剤（４）は、ポリマーやチリ紙等いろいろのものが考えられるが、環境保護等の観点からチリ紙が好ましいと考えられる。
図２に支持枠（２）を広げた図を示す。横の長さは１９０ｍｍ前後である。
【０００９】  次に本考案の請求項２の女性小用簡易トイレを図３により説明する。
幅広のポリ袋（１３）の上部を折り返した中に、所定の波形に加工し中心の下部に切り込み（１２ａ）を設けた横長の支持枠（１２）を取付け、該ポリ袋（１３）の中に水分吸収剤（１４）を投入する。
ポリ袋（１３）は市販の把手付のものを使用することができる。ポリ袋（１３）の巾は平にした状態で１８０ｍｍ前後が適当と思われる。水分吸収剤（１４）は、ポリマーやチリ紙等いろいろのものが考えられるが、環境保護等の観点からチリ紙が好ましいと考えられる。
図４に支持枠（１２）を横に広げた図を示す。横の長さは２６０ｍｍ前後である。
図５に女性小用簡易トイレを広げて使用状態にした斜視図を示す。
【００１０】次に本考案の請求項３の男女兼用簡易トイレを図６により説明する。
幅広のポリ袋（２３）の上部を折り返した中に、所定の波形に加工し中心部に縦の折り線（２２ａ）を設けその下部に切り込み（２２ｂ）を設けた横長の支持枠（２２）を取付け、該ポリ袋（２３）の中に水分吸収剤（２４）を投入する。
ポリ袋（２３）は市販の把手付のものを使用することができる。ポリ袋（２３）の巾は平にした状態で２１０ｍｍ前後が適当と思われる。水分吸収剤（２４）は、ポリマーやチリ紙等いろいろのものが考えられるが、環境保護等の観点からチリ紙が好ましいと考えられる。
図７に支持枠（２２）を横に広げた図を示す。横の長さは３８０ｍｍ前後である。
図８に男女兼用簡易トイレを広げて使用状態にした斜視図を示す。
【００１１】  支持枠（２）、支持枠（１２）及び支持枠（２２）は、ボール紙で製作すれば極めて安価にでき、簡易トイレのコストを大巾に下げることができる。
【符号の説明】
【００１２】  １  男性小用簡易トイレ
２  支持枠
３  ポリ袋
４  水分吸収剤
１１  女性小用簡易トイレ
１２  支持枠
１２ａ切り込み
１３  ポリ袋
１４  水分吸収剤
２１  男女兼用簡易トイレ
２２  支持枠
２２ａ折り線
２２ｂ切り込み
２３  ポリ袋
２４  水分吸収剤
【図１】
0003168322.tif 000003
【図２】
0003168322.tif 000004
【図３】
0003168322.tif 000005
【図４】
0003168322.tif 000006
【図５】
0003168322.tif 000007
【図６】
0003168322.tif 000008
【図７】
0003168322.tif 000009
【図８】
0003168322.tif 000010
(57)【要約】      （修正有）【課題】上衣用ベルトの代用として、着用者が快適に着用でき、かつデザイン性に優れているとともに簡単に取り替えられるベルトの構造を提供する。【解決手段】上衣用のベルトを通常よりも短く作り、それを上衣のベルト通しに通し、その両端を折り返し、スナップボタン等の接合部材でとめる。又は、ベルトの両端にフック状金具をつけベルト通しに直接かける。ファッション性を増すために、ベルトに色々な装飾（ビーズ、刺繍、アップリケ等）を施す。【選択図】図２
0003168326.tif 000002
【実用新案登録請求の範囲】
【請求項１】
上衣用ベルトであって、長さ方向の両端部にベルトの両端部をそれぞれ折り返して、折り返し部とし、その折り返し部を接合するためのオスとメスからなる一対の接合部材、又は、フック状金具のいずれかを設けたことを特徴とする上衣用ベルト。
【請求項２】
上記一対の接合部材は、メス、又はオスのいずれかが長手方向に長さ調節が可能な
位置に複数設けられた請求項１記載の上衣用ベルト。
【考案の詳細な説明】
【技術分野】
【０００１】
本考案は、コートやジャケット等（以下単に上衣という）の付属ベルトから自分の好みに合わせて簡単に取り替えられるベルトの構造に関するものである。
【背景技術】
【０００２】
上衣用の付属ベルトは、そのベルトの長さが長いため、着用する際に身体の前で結ばない時、ベルトの両端を後ろで結んだり、上衣の両ポケットに入れて着ることが一般的である。
しかし、着ている間にベルトの結び目がほどけたり、ポケットから飛び出したりするため、見た目にも悪く、かつファッション性にも欠ける。
本考案は、以上の点を改善するものである。
【考案の概要】
【考案が解決しようとする課題】
【０００３】
本考案は、上衣の付属ベルトの代用として簡単に取り替えられるベルトであり、その目的は、着用者が快適に着用できファッション性にすぐれるとともに、普段の上衣等に装飾感を出して、従来のベルトとは少し違った感じにしたい時に、その取替えが容易な構造のベルトである。
【課題を解決するための手段】
【０００４】
本考案は、請求項１として、上衣用ベルトであって、長さ方向の両端部にベルトの
両端部をそれぞれ折り返して、折り返し部とし、その折り返し部を接合するための
オスとメスとからなる一対の接合部材、又は、フック状金具のいずれかを設けたことを特徴とする上衣用ベルトである。
【０００５】
又、請求項２として、上記一対の接合部材は、オス、又はメスのいずれかが長手
方向に長さ調節が可能な位置に複数設けられた請求項１の上衣ベルトである。
【０００６】
上記課題を解決するためにベルトを短くデザインし、その端にスナップボタン等の接合部材を取り付ける。
上衣のベルト通しに考案ベルトを通した後、その端を折り曲げスナップボタン等で取り付けられるようにした。また、好みに応じてベルトをカラフルな布で作ったり、色々な飾り（ビーズ、刺繍、アップリケなど）を施すことによりファッション性を増すことが可能となる。
【考案の効果】
【０００７】
上衣の着やすさを向上することは勿論ファッションを楽しむことにも役立つ。    
【図面の簡単な説明】
【０００８】
【図１】本願考案のベルトの裏面の一部破断し省略した平面図である。
【図２】ベルトの折り返し部の一方を示す斜視図である。
【図３】使用状態を表す斜視図である。
【図４】ベルトの折り返し部を設けない場合の平面図である。
【考案を実施するための形態】
【０００９】
以下、図面に基づいて説明する。
【実施例】
【００１０】
図1に示す上衣用ベルト６の両端に、スナップボタンのオス１を２個取り付け、スナップボタンのオス１をつけた内側にスナップボタンのメス２を幅方向に２個取り付ける。
【００１１】
この例では、幅方向にスナップボタンを2個設けたが、1個又は３個以上であっても良い。
【００１２】
コート４のベルト通し５に上衣用ベルト６の両端をベルト通し５の上で折り返して通し、スナップボタン１と２をそれぞれとめる。
【００１３】
スナップボタンのオス１と対になるスナップボタンのメス３の数を増やすことにより、ベルト全体の長さ調整が可能となり、より使いやすさが増す。
【００１４】
上記説明は、上衣用ベルト６の裏面にスナップボタンを取り付けた場合の説明であるが、スナップボタン１、２、３を上衣用ベルト６の表面に取り付けても良い。
スナップボタン１、２、３を上衣用ベルト６の表面に取り付けた場合は、ベルト通し５に上衣ベルト６を下から通し、折り返してとめる。
【００１５】
スナップボタン１、２、３を上衣用ベルト６の裏面ではなく、表面に取り付けた場合は、上衣用ベルトの取り付け方により、長さ調節用に取り付けたスナップボタン３が見えてしまうが、見えてしまうスナップボタン３をデザインとして捉えれば利点となる。
【００１６】
この例では、接合部材をスナップボタンで説明しているが、その他の接合部材、例えば、ボタンとボタンホール、面ファスナーのオスと面ファスナーのメス、タックピン、ブローチピン、ブローチでも良い。
【００１７】
上衣用ベルト６に折り返し部７を設けない場合には、ベルトの両端にフック状金具９を取り付け、ベルト通し５に直接かけても良い。この場合、ベルトの長さ調節はできないが、フック状金具９がデザインのアクセントとなる利点がある。
【００１８】
上衣用ベルト６に用いる素材は限られるものではなく、あらゆる布、合成繊維、合成皮、本皮、毛糸やレース糸でモチーフを編み繋げたもの、ビーズを繋げたものなど使用者の要望に応じて提供できる。又、無地に限らず、柄もので作成しても良い。
【００１９】
上衣用ベルト６の幅は、ベルト通し５に通る幅を上限とし、一定の幅に限らず
デザイン性を持たせるために、幅の太さを変えても良い。
【００２０】
上衣用ベルト６の表面に装飾を施した場合の一例が８である。
上衣用ベルト６の表面に、ビーズ、刺繍、アップリケ等の装飾を施すことにより、ファッション性が増す上、いつもの上衣をイメージチェンジすることが可能となる。
【００２１】
手持ちの上衣にベルト通し５がない場合は、自分でベルト通しを取り付けることにより上衣用ベルト６の使用が可能となる。
【産業上の利用可能性】
【００２２】
本考案は、いつもの上衣を少し違う感じにしようと思った時、簡単にイメージチェンジでき、さらに着やすさも向上する。
【符号の説明】
【００２３】
１  接合部材（オス）
２  接合部材（メス）
３  接合部材（メス）
４  上衣
５  ベルト通し
６  上衣用ベルト
７  折り返し部
８  装飾
９  フック状金具
【図１】
0003168326.tif 000003
【図２】
0003168326.tif 000004
【図３】
0003168326.tif 000005
【図４】
0003168326.tif 000006
(57)【要約】【課題】本考案は、蛍光灯光線の照明領域範囲と照明輝度を大幅に向上することができる、立体螺旋型の冷陰極蛍光灯を提供する。【解決手段】管本体と、電極接続部とによって構成し、前記管本体は、立体の螺旋形態を呈し、螺旋状の管本体の両端には電極接続部が固定される。【選択図】図１
0003168364.tif 000002
【実用新案登録請求の範囲】
【請求項１】
立体螺旋型の冷陰極蛍光灯であって、
前記冷陰極蛍光灯は、管本体と、電極接続部とによって構成し、
前記管本体は、立体の螺旋形態を呈し、螺旋状の管本体の両端には電極接続部が固定されることを特徴とする、立体螺旋型の冷陰極蛍光灯。
【請求項２】
管本体は、単一の管で単一方向に巻くことにより立体の螺旋形態を呈し、管本体の一端は上方に配置され、他端は下方に配置され、螺旋状の管本体の両端には電極接続部が固定されることを特徴とする、請求項１に記載の立体螺旋型の冷陰極蛍光灯。
【請求項３】
管本体は、単一方向に巻くことにより立体の螺旋形態を呈し、前記管本体は、上方に螺旋状に巻いて、中央箇所で折り曲げ、さらに下に向かって螺旋状に巻かれ、立体の螺旋形態の管本体の両端は、底辺の対向する位置に配置され、螺旋状の管本体の両端は、電極接続部に固定されることを特徴とする、請求項１に記載の立体螺旋型の冷陰極蛍光灯。
【考案の詳細な説明】
【技術分野】
【０００１】
本考案は冷陰極蛍光灯の構造に関し、特に照明領域範囲と照明輝度を大幅に向上させることが可能な冷陰極蛍光灯に関する。
【背景技術】
【０００２】
従来の照明器具は、一般的に、白熱灯、蛍光灯、或いは、省エネ電球を、ランプの光源としている。その内、白熱灯は、白熱フィラメントを利用して光線を生じさせ、また、蛍光灯、或いは、省エネ電球は、熱陰極蛍光を利用して放電し、光源を提供する。
【０００３】
しかしながら、白熱灯の発光効率は悪く、且つ生じる熱も大きいため、白熱灯を使用すると、大量の温室効果を生じる気体を排出する。従って、省エネ、環境保護が叫ばれる今日、世界各国では、白熱灯の使用時間に制限が設けられており、白熱灯の照明設備での使用は次第に少なくなってきている。
【０００４】
また、熱陰極蛍光を利用して放電する蛍光灯や省エネ電球は、約４０％の電気エネルギーだけがエネルギーに変換される。従って、そのエネルギー使用効率は高くなく、しかも、その電極は高い使用温度によって劣化すし、それにより、蛍光灯、或いは、省エネ電球の使用寿命が短くなる。
【０００５】
また、冷陰極蛍光灯は、一種の低圧水銀放電ランプであり、その蛍光灯は細い形状である。冷陰極蛍光灯は、主に、冷陰極蛍光灯の内壁面に蛍光物質を塗布し、蛍光灯内に微量の水銀と不活性気体を注入し、蛍光灯の両端に電極を設けてなる。そして、電流を電極端子から入力すると、蛍光灯内の少数の電子分子が高速で電極にぶつかり二次電子が発射され、電子と水銀がぶつかり、それにより、水銀は紫外光線を射出し管壁上の蛍光物質を励起させ、相対色温度をもつ可視光が生じる。
【０００６】
冷陰極蛍光灯はフィラメントを使用していないため、フィラメントが焼けて切れる問題が生じず、消費電力が少なく、使用寿命が長く、且つ使用寿命がスイッチのオンオフの回数に影響されない、等の利点をもつ。従って、省エネが可能であるとともに、環境保護に役立つ。
【０００７】
しかしながら、現在、市場でみられる冷陰極蛍光灯の多くは、細長い直管状、Ｕ型状、複数個所が曲がった形状、或いは、平面螺旋状等の平面式形態であり、平面の形態によりその光線照射の面積が制限され、光線の照明領域範囲と照明輝度を最高の状態までにすることができず、改善の必要がある。
【考案の概要】
【考案が解決しようとする課題】
【０００８】
そこで、本考案は、蛍光灯光線の照明領域範囲と照明輝度を大幅に向上することができる、立体螺旋型の冷陰極蛍光灯を提供することを目的とする。
【課題を解決するための手段】
【０００９】
本考案による立体螺旋型の冷陰極蛍光灯は、管本体と、電極接続部とによって構成する。前記管本体は、立体の螺旋形態を呈し、螺旋状の管本体の両端には電極接続部が固定される。
【考案の効果】
【００１０】
立体の幅は、平面の面積より広いため、蛍光灯光線の照明領域範囲と照明輝度を大幅に向上することができる。
【図面の簡単な説明】
【００１１】
【図１】本考案の冷陰極蛍光灯の外観を示した斜視図である。
【図２】本考案の冷陰極蛍光灯の実施例を示した斜視図である。
【考案を実施するための形態】
【００１２】
図１に示すように、本考案による冷陰極蛍光灯１は、管本体１０と、電極接続部１１とによって構成する。管本体１０は、単一の管で単一方向に巻くことにより立体の螺旋形態を呈する。管本体１０の一端は上方に配置され、他端は下方に配置される。螺旋状の管本体１０の両端には電極接続部１１が固定され、電源の電極部材に接続される。以上により、立体の螺旋形態を呈する冷陰極蛍光灯が形成され、立体の幅は、平面の面積より広いため、蛍光灯光線の照明領域範囲と照明輝度を大幅に向上させることができる。
【００１３】
図２を参照する。図２は、本考案の冷陰極蛍光灯の実施例を示した斜視図である。冷陰極蛍光灯１は、管本体１０と、電極接続部１１とによって構成する。管本体１０は、単一方向に巻くことにより立体の螺旋形態を呈し、管本体１０は、上方に螺旋状に巻いて、中央箇所で折り曲げ、さらに下に向かって螺旋状に巻かれる。立体の螺旋形態の管本体１０の両端は、底辺の対向する位置に配置され、螺旋状の管本体１０の両端には、いずれも電極接続部１１が固定され、電源の電極部材に接続される。
【符号の説明】
【００１４】
１      冷陰極蛍光灯    
１０    管本体    
１１    電極接続部
【図１】
0003168364.tif 000003
【図２】
0003168364.tif 000004
(57)【要約】      （修正有）【課題】氷った道で滑って転ぶことがない様に、靴底に突起をつけることにより、氷りで滑らない靴底を提供する。【解決手段】スポーツ用ほど大げさではないが、小さくて鋭い突起を靴底に取り付ける。これにより、突起に体重がかかる時に滑らないという効果を期待でき、氷った道をおそるおそる慎重に歩く必要がなくなる。床を傷つけたくない時は、靴の上から大きなスリッパをはけば、靴を脱がなくても床を傷つける恐れはなくなる。【選択図】図１
0003168308.tif 000002
【実用新案登録請求の範囲】
【請求項１】
日常生活用の、氷りで滑らないための、靴底に突起のある長靴，ブーツ，靴，運動靴
【考案の詳細な説明】
【考案の概要】
【考案が解決しようとする課題】
【００１】氷った道で滑って転ぶ人が多いという事実があり、氷ですべらない長靴があれば、という課題があった。サッカー，野球，ゴルフなどのスポーツ用の靴は滑り止め用の靴と言えなくもないが，いずれも日常生活で使うことは想定されておらず、氷のはった道の滑り止め用として使用する人がこれまでいなかった。
【課題を解決するための手段】
【００２】簡単に言えば、スポーツ用ほど大げさではない小さくて鋭い突起を靴底に取りつけます。冬に使用する長靴の例が典型的な使用例ですが、ブーツ、靴、運動靴にも同じように突起を取りつけたものにすればよいのであります。床を傷つけたくないときは．靴の上に大きなスリッパを履けば，靴を脱がなくても床を傷つける心配はありません。
【考案の効果】
【００３】これまでは氷った道ですべって転ぶ危険性がありましたが、突起に体重がかかる時に，滑らないという効果があります。氷った道をおそるおそる慎重に歩く必要がないという効果があります。
【図面の簡単な説明】
【００４】
【図１】は小さくて鋭い突起を取りつけた靴底の図です。
【符号の説明】
【００８】
【図１】
0003168308.tif 000003
(57)【要約】      （修正有）【課題】市販されているあらゆる樹脂製の杖のグリップに簡単に装着でき、転倒しやすかった杖の置き場所を選ばず、転倒しにくく安定し、安心して壁面やテーブルに立てかけたり、引っかけることのできる杖のグリップパッドを提供する。【解決手段】本杖のグリップパッドは、クッション性・通気性・伸縮性・不滑性に優れたクレバルカー１を本体とし、その２分の１を筒状２とし、他の２分の１にふちどり３を施し、そのふちどりの相対向する角の端部の表側に半円形の面ファスナー４１を取りつけ、他方の角の裏側に上記面ファスナー４１に対応する面ファスナー４２を同じく取りつける。樹脂製グリップの長い方を、本杖のグリップパッドの筒状の中に差し込み、切れ目を下部にし、杖の柄を切れ目ではさみ、短いグリップの下部で面ファスナー４１，４２を接合させて使用する。【選択図】図１
0003168306.tif 000002
【実用新案登録請求の範囲】
【請求項１】
クッション性・通気性・伸縮性・不滑性に富むポリエステルエラストマー不織布（１）を方形に裁断して、その２分の１を筒状（２）に縫い合わせ、あとの２分の１の裁断面にはふちどり布でふちどり（３）を施し、そのふちどりの相対向する角の端部の表側に半円形の面ファスナー（４１）を取りつけ、他方の角の裏側に上記面ファスナー（４１）に対応する面ファスナー（４２）を同じく取りつけたことを特長とする杖のグリップパッド（１０）。
【考案の詳細な説明】
【技術分野】
【０００１】本考案は、杖のグリップパッドに関するものである。
【背影の技術】
【０００２】一搬に市販されている杖のグリップの多くは樹脂製のため、用足し時に壁などに立てかけると、滑って転倒し安定を欠く。中には杖の表面全体に滑り止めを被覆した商品がある。（特許文献１参照）しかし左記の商品は杖の中では高価であり使用できる者は限られる。
【特許文献１】特開２０１０−０１２１２１
【考案の概要】
【考案が解決しようとする課題】
【０００３】本考案は、壁やテーブル、カウンターなどに、杖を立てかけたり、引っかける時に、転倒しにくく安定させるものである。
【課題を解決する手段】
【０００４】本考案の杖のグリップパッドは、クッション性・通気性・伸縮性・不滑性に富むポリエステルエラストマー不織布（１）を方形に裁断し、方形の長い方を二つ折りにしてその２分の１を筒状に縫い合わせ（２）、残りの２分の１の周囲をふちどり布でふちどり（３）を施し、そのふちどりの相対向する角の裏側の端部に半円状の面ファスナー（４１）を取りつけ、他方の角の表側に上記面ファスナー（４１）に対応する面ファスナー（４２）を同じく取りつけたことを特長とする。
【０００５】本考案で用いる、クッション性・通気性・伸縮性・不滑性に富むポリエステルエラストマー不織布（１）としては、たとえば呉羽テック株式会社製の「クレバルカー」などが好ましい。
【０００６】上記不織布を杖のグリップパッドに製作するには方形に裁断して用いる。筒状（２）に縫い合わせた他の裁断面には、ほつれを防ぐことと面ファスナーを取りつける必要上ふちどり（３）を施す。
【０００７】杖のグリップパッドとして使用するときは、上記筒状の不織布の中へ、杖グリップの長い方をさし入れ、杖の柄をはさんで杖グリップの短い方の下部で、面ファスナー（４１）（４２）を接合させてセットする。
【考案の効果】
【０００８】壁やテーブルに杖を立てかけたり、引っかけるときにこの杖のグリップパッドを用れば、クッション性・通気性・伸縮性・不滑性に不織布であるため、杖の置き場所を選ばず、転倒しにくく安定し、安心して杖を立てかけることができる。
故に、杖が不可欠な人への身体的負担を大巾に改善する。
また、この杖グリップパッドをセットした杖のグリップの使用中は、手が汗でむれることなく、軽るい刺激により手指の血流を促す。
【図面の簡単な説明】
【０００９】
【図１】本考案の杖のグリップパッドの全体斜視図。
【図２】本考案の杖のグリップパッドを杖のグリップに装着した状態を示した説明図。
【図３】本考案の杖のグリップパッドを実際に壁面、テーブル、カウンターや腕などに立てかけたり、引っかけて使用している様子を示す説明図。
【本考案を実施するための形態】
【実施例】
【００１０】本考案の実施例を図を用いて説明する。
図１は本考案の実施例を示している。
クッション性・通気性・伸縮性・不滑性に富むポリエステルエラストマー不織布（１）として呉羽テック株式会社製の厚さ４ミリの「クレバルカー」を１５０ミリ×１３０ミリの方形に裁断した。この方形巾１３０ミリを二ッ折りにして、折り山から合わせの２分の１のところまで縫い合わせて２分の１の筒状（２）を表に返えす。
上記の筒状以外の裁断面三方に巾３０ミリのふちどり布を用いて裏から表にわたって裏表同一寸法でふちどり（３）を施した。次に、そのふちどりの相対向す角の表側の端部に半円形の面ファスナー（４１）を取りつけ他方の角の裏側に上記面ファスナー（４１）に対応する面ファスナー（４２）を同じく取りつけて、杖のグリップパッドを完成させた。
図２は、こうして得た杖のグリップパッド（１０）を杖のグリップに装着した状態を示す。図のように杖の柄をはさんで面ファスナー（４１）と（４２）を接合しておくことで杖のグリップからパッドが外れない。
図３は、この杖のグリップパッド（１０）を実際に壁面、テーブル、カウンターや腕などに、立てかけたり、引っかけて使用している様子を示している。図のように杖のグリップパッド（１０）を用いれば、杖の置き場所を選ばづ杖を安心して立てかけることができる。
【産業上の利用可能性】
【００１１】本考案の、杖グリップパッド（１０）には上記のような効果がある上に、市販されている杖の樹脂製のグリップにあまねく装着できる特長がある。
また、重量が１０グラムと軽量であり、市販時の安価が予想される。
【符号の説明】
【００１２】１、不織布
２、筒状部分
３、ふちどり
４１、４２  面ファスナー
１０、杖のグリップパッド
【図１】
0003168306.tif 000003
【図２】
0003168306.tif 000004
【図３】
0003168306.tif 000005
(57)【要約】      （修正有）【課題】簡単に収納袋に変形することができるハンカチを提供する。【解決手段】ハンカチ部分と持ち手部分をつなげてなり、ハンカチ部分が袋状に縫製され、その内側に持ち手部分を収納させて口周りを縫製してなる。【選択図】図３
0003168307.tif 000002
【実用新案登録請求の範囲】
【請求項１】
本考案は、ハンカチになる部分と持ち手になる部分がつながっていて、かつ持ち手が収納できるハンカチ。
【請求項２】
ハンカチとして型崩れを防ぐために、持ち手部分を収納させて口周りを縫製させたハンカチ。
【考案の詳細な説明】
【技術分野】
【０００１】
本考案は、外見上ハンカチでありながら簡単に収納袋に変形するハンカチに関する。
【背景技術】
【０００２】
従来外出時にはハンカチとは別に収納袋を携帯していた。
【０００３】
しかしながら、買い物目的以外の外出時には収納袋を持たない事もあり予定外の買い物時にはレジ袋を購入しなくてはならないという欠点があった。
【先行技術文献】
【特許文献】
【０００４】
【特許文献１】特開２００９−４９１号公報
【特許文献２】実開平２−１１５５０８号公報
【特許文献３】登録実用新案第３０１１６１１号公報
【特許文献４】登録実用新案第３１４３９６８号公報
【考案の概要】
【考案が解決しようとする課題】
【０００５】
本考案は、以上のような従来の欠点に鑑み、常時携帯するハンカチが予定外の買い物時に収納袋として利用できるハンカチを提供する事を目的としている。
【課題を解決するための手段】
【０００６】
上記目的を達成するために、本考案は、ハンカチになる部分と持ち手になる部分がつながっていて、かつ持ち手が収納できる。そして、持ち手が収納された状態で袋の口周りを縫製したハンカチを構成している。
【考案の効果】
【０００７】
以上の説明から明らかなように、本考案にあたっては次に列挙する効果が得られる。
（１）持ち手がハンカチと一体型で構成されているので、収納袋として使用する場合大変丈夫であり、買い物時に収納袋が無くても常時携帯するハンカチが収納された持ち手を引き出すだけで簡単にレジ袋として利用できる。また、持ち手部分をハンカチの中にスッキリ収納するごとで、デコボコ感が軽減され、収納袋と利用した後も簡単にハンカチの型に戻す事ができる。そして、持ち手部分を収納した状態で、袋の口周りを縫製したことにより、持ち手部分の飛び出しを防ぎハンカチとして利用時の型崩れを軽減している。
【図面の簡単な説明】
【０００８】
【図１】本考案の通常ハンカチ利用時の正面図
【図２】図１の持ち手収納時の正面詳細図
【図３】図２から持ち手を出し収納袋状態の正面斜視図
【図４】布の原型
【考案を実施するための形態】
【０００９】
収納袋として利用した場合、持ち手の強度を考え、ハンカチの部分と持ち手の部分をつなげた型（図４）に裁断する。
【００１０】
持ち手付き袋に縫製し、ハンカチとしての使用時に持ち手が中から出てきて型崩れを起こさないように、持ち手をハンカチ部分の中に収納して袋になった状態の折口周りを縫って（A）形成する。
【符号の説明】
【００１１】
Ａ  折口の縫い目
１  持ち手部分
【図１】
0003168307.tif 000003
【図２】
0003168307.tif 000004
【図３】
0003168307.tif 000005
【図４】
0003168307.tif 000006
【手続補正書】
【提出日】平成23年3月16日(2011.3.16)
【手続補正１】
【補正対象書類名】実用新案登録請求の範囲
【補正対象項目名】全文
【補正方法】変更
【補正の内容】
【実用新案登録請求の範囲】
【請求項１】
ハンカチ部分と持ち手部分をつなげてなるハンカチであって、前記ハンカチ部分が袋状に縫製され、その内側に持ち手部分を収納させて口周りを縫製してなるハンカチ。
(57)【要約】      （修正有）【課題】八角形を基本形とし、これを一定分割した盤面と、分割されたスペースに対応する数の表裏２色のコマとで構成されるリバースボードゲームを提供する。【解決手段】基本のゲーム盤面は、元となる八角形を、４本の対角線と中心に向って一定回数縮小することによって得られる新たな八角形とで４０分割して作成の上、明確な彩色を施し、基本のコマは分割されたスペースと相似形とし表裏を２色に分けて彩色し、また盤面の分割線上に突起処理を加え裏返しのための利便性を与える。【選択図】図１
0003168304.tif 000002
【実用新案登録請求の範囲】
【請求項１】
八角形を４本の対角線と八角形を段階的に縮小した四つの新たな八角形によって40分割した盤面及び分割スペースに相応する枚数の表裏２色のコマとを使用し、二人の対戦者がそれぞれ20枚ずつのコマを互いに色を変えて持つことを特徴とするリバースボードゲーム。
【請求項２】
自分のコマにより対角線上または同心円周上で相手のコマをはさんだ時に、相手のコマを自分のコマの色に裏返すことができるが、コマの置き方は必ずしも相手のコマをはさむ必要はなく、必ず既に置かれたコマと点または辺で接した位置に置くものとし、また相手の二つのコマの間にはさまれるように自分のコマを置くこともでき、この時自分のコマの色は裏返ることがない請求項１に記載のリバースボードゲーム。
【請求項３】
盤面を対角線方向が対となるよう４色分割し、コマが置かれた場所の色により得点加算されるルールを付与するとともに、盤面の分割線部分を周囲より曲線状に盛り上げて、コマが動いて隣りのスペースに移動せず、かつ対戦者同士がコマを裏返しやすくする突起処理を加えた請求項１〜２に記載のリバースボードゲーム。
【請求項４】
パーソナルコンピュータもしくは携帯電話等の電子機器上で動作させる際にも請求項１〜３に記載の原理を適用するリバースボードゲーム。
【考案の詳細な説明】
【技術分野】
【０００１】
本考案は八角形を一定数分割したスペースと同数及び相似形の２色に色分けしたコマを、対戦する二人が半数の同色コマを持ち、交互にスペースを埋めていき、その際に相手のコマをルールに基づき裏返し、色を変えることで、最終的にどちらの色が多いかをもって勝負を判定するリバースボードゲームに関する。
【背景技術】
【０００２】
リバースゲームについては、従来いわゆるリバーシ、オセロ（登録商標）と呼ばれるボードゲームが主流で、これらはいずれも垂直・水平と左右45度の斜線上で相手のコマをはさむものであって、また常に相手をはさむ位置に置きゴマをしなければならないというルールが存在し、これが従来のリバースゲームを特徴付けていた。
【先行技術文献】
【特許文献】
【０００３】
特開２００１−２５９１１０号
【考案の概要】
【考案が解決しようとする課題】
【０００４】
本考案は従来のリバースゲームに、同心円周上でも相手のコマをはさんで裏返すことができるという、新たなゲーム要素を加えるものである。
【０００５】
またコマを置く際には、必ずしも相手のコマをはさむ必要はなく、相手のコマの間に自らはさまれるだけの手も可能とする。この時、自分の手ゴマは裏返らないものとすることで戦略的思考をより深化させるものである。
【課題を解決するための手段】
【０００６】
円周というゲーム要素を加えるために、基本の形として八角形を採用した。これは従来のリバースゲームの方向感覚を残しながら、新たに円周方向の概念を加えるために最も基本となる角数である。
【０００７】
ルールとして相手のコマに角または辺で接していれば、必ずしも相手のコマをはさまない手も可能とする。
【０００８】
更に相手のコマの間に自らはさまれるだけの手も可能とする。この時、対角線上においても、円周上においても自分の手ゴマは裏返らないものとする。
【考案の効果】
【０００９】
円周上でも相手のコマをはさめる要素を加えたことで、コマを置く意味のオンと、コマを裏返す意味のオフとを、より平面的な戦略思考を必要としながら繰り返すゲームとなった。
【００１０】
コマの置き方に自由度を持たせることによって、従来のリバースゲームより少ないコマ数でもいわゆる好手を得やすくなった。
【図面の簡単な説明】
【００１１】
【図１】図１は盤面とコマの基本図面である。（実施例１）
【図２】図２は各コマの色分けを示した図面である。（実施例１）
【図３】図３は黒コマにより白コマを、はさむ概念を示した図面である。（実施例２）
【図４】図４は白コマが黒コマに裏返る状況を示した図面である。（実施例２）
【図５】図５は黒コマが白コマを円周全体ではさむ状況を示した図面である。（実施例３）
【図６】図６は自コマが裏返らない状況を示した図面である。（実施例４）
【図７】図７は盤面を４色に分割した図面である。（実施例５）
【図８】図８は分割線上を盛り上げ突起状にした図面である。（実施例６）
【実施例１】
【００１２】
図１は盤面と図２の色分けをしたコマの位置関係を示す。
【実施例２】
【００１３】
図３は黒コマにより白コマを、対角線上及び円周上ではさむ手を示す。
【００１４】
図３の状況により図４のように白コマが黒コマに裏返る状況を示す。
【実施例３】
【００１５】
黒コマは図５のように白コマを円周全体ではさむことができるものとする。
【実施例４】
【００１６】
相手にはさまれるように置いた場合は、図６に示す通り自コマは裏返らないものとする。
【実施例５】
【００１７】
図７のように盤面を４色に分割することで、コマが置かれた位置の色によって得点が加算される、より複雑なゲームルールを与える。
【実施例６】
【００１８】
図８のように盤面の分割線部分は周囲より曲線状に盛り上げ突起部分を作り、コマが動いて隣りのスペースに移動せず、かつ対戦者同士がコマを裏返しやすくする処理を加える。
【図１】
0003168304.tif 000003
【図２】
0003168304.tif 000004
【図３】
0003168304.tif 000005
【図４】
0003168304.tif 000006
【図５】
0003168304.tif 000007
【図６】
0003168304.tif 000008
【図７】
0003168304.tif 000009
【図８】
0003168304.tif 000010
(57)【要約】      （修正有）【課題】簡素な構造で植木鉢を展開でき、植物の移し替えを容易にする植木鉢を提供する。【解決手段】複数の花弁状の植木鉢側面と植木鉢底部とは蝶番または蝶番機能のある構造により接続されており展開する。また、花弁状の側面部分は互いに重なる部分がありボルト、ナット等で連結することにより元の植木鉢の形状に戻る構造を有する。【選択図】図１
0003168309.tif 000002
【実用新案登録請求の範囲】
【請求項１】
植木鉢の植物の根を傷めず容易に移し替えが出来るように植木鉢側面が花弁状に展開する構造の植木鉢。
【請求項２】
前記花弁式の植木鉢は、複数の花弁状の側面と植木鉢底部とは蝶番または蝶番機能を有する構造により結合されており展開する。  また花弁状の側面部分は互いに重なる部分がありボルト、ナット等により連結することにより元の植木鉢に戻る構造を特徴とする請求項１記載の植木鉢。
【考案の詳細な説明】
【技術分野】
【０００１】本考案は、植木鉢の植物の根を傷めずに容易に移し替えを可能とするように植木鉢側面が花弁状に展開する植木鉢に関するものである。
【背景技術】
【０００２】従来の分割式の植木鉢は特に大型の植物の移し替えの場合  分割時に植物自体の自重により植物の底部を傷める可能性があり  また植木鉢の分割作業自体が困難であった。
【考案の概要】
【考案が解決しようとする課題】
【０００３】以上の技術により、植物の移し替えの時の根の傷みや植木鉢の分割作業の困難さを解消するために  簡素な構造で植木鉢を展開できるようにし植物の移し替えを容易にすることを課題とする。
【課題を解決するための手段】
【０００４】以上の課題を解決するために、複数の花弁状の植木鉢側面と皿状の植木鉢底部により構成され  その花弁状の植木鉢側面と植木鉢底部は蝶番または蝶番の機能を有する構造により結合され花弁状に展開することが出来る。  また花弁状側面は互いに重なる部分がありボルト、ナット等で連結することにより元の植木鉢状に戻る構造を有することを特徴とする。
【考案の効果】
【０００５】本考案によれば、重い自重の大型植物でも容易に植木鉢側面を展開可能で  根を傷めず容易に移し替え実施できる。
【図面の簡単な説明】
【０００６】
【図１】本考案  花弁開花式植木鉢の一実施例  展開時を示す図面である。
【図２】本考案の一実施例  花弁状側面を連結、閉じた状態を示す図面である。
【考案を実施するための形態】
【０００７】この考案の一実施形態を、図１に示す。
植木鉢底部１、花弁状の複数の植木鉢側面２、植木鉢底部１と花弁状植木鉢側面２を結合させる蝶番または蝶番機能のある構造３、  花弁状植木鉢状側面２を互いに結合させる結合部４、結合部にボルト、ナット等を通す為の穴  ５  から構成されている。
【実施例】
【０００８】以下、添付図面に従って一実施例を説明する。１は皿状の植木鉢底部、２は複数で構成される花弁状の植木鉢側面で  蝶番または蝶番の構造３により結合されており花弁状側面２は展開することが可能である。【０００９】花弁状側面２には互いに重なり結合する部分４に貫通する穴５がありボルト、ナット等により固定することにより花弁状側面は互いに結合され元の植木鉢の形状となる。
【符号の説明】
【００１０】  １  植木鉢底部
２  花弁状の植木鉢側面
３  蝶番または蝶番の機能を有する構造
４  花弁状側面を相互に結合させる結合部
５  結合部にボルト、ナット等を通す為の穴
【図１】
0003168309.tif 000003
【図２】
0003168309.tif 000004
(57)【要約】      （修正有）【課題】両手が自由に使え、飲料水の振動が少なく快適に運動が出来る飲料水入れを提供する。【解決手段】ペットボトルの飛び跳ねを抑えるには、ボトルに入れる飲料水をチューブに入れ、ベルトにつないで腰部に巻きつけるように装着することで解決できる。飲料水等を入れる水筒部をビニールチューブやゴムチューブ等を用いて、その両端末に開閉自在な栓を有する蓋を設け、ベルトを係止するための環付き部材を設ける。チューブに飲料水等を入れ腰に装着しベルトを締めることにより、飲料水等を安定させることが出来る。またチューブを湾曲させることで尚一層のフイット感が得られる。【選択図】図１
0003168312.tif 000002
【実用新案登録請求の範囲】
【請求項１】
ビニールチューブやゴム又は樹脂からなるチューブの両端に、開閉自在の栓を有する蓋を取り付けたベルト型飲料水入れ。
【請求項２】
チューブを湾曲させた請求項１のベルト型飲料水入れ。
【考案の詳細な説明】
【技術分野】
【０００１】本考案はベルト型飲料水入れに関する。
【背景技術】
【０００２】従来、ウオーキングやジョギングの時に持ち運ぶ飲料水は、ペットボトル等の容器を手で持つか、その多くは腰に装着したウエストポーチ等のポーチのなかにペットボトル等を入れて持ち運んでいました。
【考案が解決しようとする課題】
【０００３】しかしながら、飲料水は重くウオーキングやジョギング時には、ポーチの中のボトル類は上下、左右に揺れ運動の邪魔になる等の欠点がありました。
【課題を解決するための手段】
【０００４】本考案は、飲料水等を入れる水筒部をビニールチューブやゴムチューブ等を用いて、その両端末に開閉自在な栓を有する蓋を設け、ベルトを係止するための環付き部材を設ける。チューブに飲料水等を入れ腰に装着しベルトを締めることにより、飲料水等を安定させることが出来る。またチューブを湾曲させることで尚一層のフイット感が得られる。
【考案を実施するための形態】
【０００５】イ  図１の１のチューブの両端に栓４を設けた蓋３をチューブに差し込み接着する。
ロ  チューブの両端に設けた係止環図１の５と、伸縮自在のベルト図２に取付けられたフック図２の６を掛けて腰部に装着する。
なおチューブはビニールチューブやゴムチューブが一般的であるが樹脂等で作られた物でも良く、また本考案は本実施例による何等の制限を受けるものではない。
【考案の効果】
【０００６】飲料水をチューブ内に入れ腰に巻きつけるように装着するため、
１  両手が自由に使える。
２  飲料水の振動が少なく快適に運動が出来る。
３  透明なチューブを使用することにより残量が分かりやすい。
４  栓をチューブの両端に設けることで洗浄が容易になり清潔である。
等の効果がある。
【図面の簡単な説明】
【０００７】
【図１】チューブの両端末を構成する部材の斜視図。
【図２】ベルトを構成する部材の斜視図。
【符号の説明】
【０００８】１  チューブの端末
２  環付きスリーブ
３  蓋
４  栓
５  環
６  フック
７  ベルト
８  ベルト伸縮調節具
【図１】
0003168312.tif 000003
【図２】
0003168312.tif 000004
(57)【要約】      （修正有）【課題】缶飲料水の飲口の部分中心に口のあたる所に装着する、身体に影響のおよばない飲口清潔シールを提供する。【解決手段】自販の缶飲料水１の飲口の上部一部に、人の口があたる所えを中心に、身体に無害を条件としたシール３を装着又は、貼り付ける、その装着又は貼り付けシールの一部にシールをはぎ、取りやすくするために少しだけ浮かしておく。使用に当たっては、缶飲料水を飲料する際にシールを上部又は側部を少しだけシールを浮かせてある所から、シールを剥ぎ取る。シールは、できれば再度、使用した缶飲料水に飲料にさしつかえない場所に貼り戻してゴミ箱又はゴミ袋等に処分する。【選択図】図１
0003168313.tif 000002
【実用新案登録請求の範囲】
【請求項１】
缶飲料水類の飲み口に缶の上部と側部に、人の口があたる所を中心に、人体に無害を条件とした、シールを貼り付けた、缶。
【考案の詳細な説明】
【技術分野】
【０００１】  本考案は、缶飲料水類の飲口をいつも、飲料するまで、清潔な状態を保つためのものである。
【背景技術】
【０００２】  缶飲料水の取り扱い、食料店、自動販売機等の作業時又は、飲料するまでの過程において、飲口が常に裸状態であるため「飲む時にいつも汚いなあ」と思っていた。
【先行技術文献】
【特許文献】
【０００３】
【特許文献１】産業財産権相談サイト
【特許文献２】
【非特許文献】
【０００４】
【非特許文献１】
【非特許文献２】
【考案の概要】
【考案が解決しようとする課題】
【０００５】  缶飲料水の飲口がいつも裸状態のため、飲口を何かの方法で、清潔にならないかという点を解決しようとするものである。
【課題を解決するための手段】
【０００６】  缶飲料水の飲口の部分中心に口のあたる所に、身体に影響のおよばない無害な脱着可能なシール類を装着する。
【考案の効果】
【０００７】  上述の様に、本考案の缶飲料水類の飲口清潔シールは、飲料店の取り扱い自動販売機の落とし口、家庭内での保管、常に飲口を清潔なので安全ないし安心できる。
【図面の簡単な説明】
【０００８】
【図１】本考案を缶飲料水類に取り付け又は、貼り付けた、缶飲類の上部正面図である。
【図２】本考案を缶飲料水類に取り付け又は、貼り付けた、缶飲類の側面である。
【考案を実施するための形態】
【０００９】  自販の缶飲料水類の飲口のい飲み口、上部一部に、人の口があたる所えを中心に、身体に無害を条件としたシールを装着又は、貼り付ける、その装着又は貼り付けシールの一部にシールをはぎ、取りやすくするために少しだけ浮かしておく。
【実施例】
【００１０】  以下、添付図面に従って、一実施例を説明する。本考案は、斜線で書いてある部分をシールとする。缶飲料水を飲料する際にシールを上部又は側部を少しだけシールを浮かせてある所から、シールを剥ぎ取る。シールは、できれば再度、使用した缶飲料水に飲料にさしつかえない場所に貼り戻してゴミ箱又はゴミ袋等に処分できれば幸いである。
【符号の説明】
【００１１】  １  缶飲料水本体
２  缶飲料水の飲料する所の開け口
３  本考案のシール
４  本考案のシール剥ぎ口
【図１】
0003168313.tif 000003
【図２】
0003168313.tif 000004
(57)【要約】      （修正有）【課題】高速でリトリーブした際に、ゆらゆらとした動きを損なうことなく、回転を完全に防止するスプーンと呼ばれるタイプのルアーを提供する。【解決手段】スプーンの胴体に切れ込みを入れて開口部を設け、切れ込みの切断面が互い違いになるように歪めて開口部を拡げた状態の穴１を設ける。【選択図】図１
0003168316.tif 000002
【実用新案登録請求の範囲】
【請求項１】
釣り具用ルアーであるスプーンの胴体に切れ込みを入れて開口部を設け、切れ込みの切断面が互い違いになるように歪めて開口部を拡げた形態の穴を有するスプーン。
【請求項２】
ラインアイとフックアイを結ぶ線に対して垂直となる向きに切れ込みを入れて開口部を設ける形態の穴を有する請求項１に記載のスプーン。
【考案の詳細な説明】
【技術分野】
【０００１】  本考案は釣り具のルアーに関する。
【背景技術】
【０００２】  本考案は、スプーンと呼ばれるタイプのルアーを背景技術とする。
【考案の開示】
【考案が解決しようとする課題】
【０００３】  スプーンは主に金属でできたプレートに歪みをもたせて、水中でゆらゆらとした動きを生み出すものであるが、高速でリトリーブした際には回転しがちであった。ゆらゆらとした動きを損なうことなく、高速運動時の回転を完全に防止することが本考案の課題である。
スプーンの回転はその運動自体が魚のバイトを誘う要因ともなるが、結果として糸縒れを生じさせる。本考案は糸縒れを起こさないスプーンを実現することが、その目的である。
【課題を解決するための手段】
【０００４】  スプーンの胴体に切れ込みを入れて開口部を設け、切れ込みの切断面が互い違いになるように歪めて開口部を拡げた状態の穴１を設ける。
ゆっくりと、あるいは通常の速度でリトリーブする際には、穴１を通り抜ける水流の効果が弱いので、スプーンはゆらゆらとした運動をする。リトリーブが高速になった際には、穴１を通り抜ける水流の効果が強まり、スプーンは安定した直線的な動きをする。振動も回転もしない。
流体力学的なしくみは定かでないが、開口部あるいは開口部より後方の部分が、レーシングカーのスタビライザー用のウイングのような働きをするものと思われる。
【考案の効果】
【０００５】  糸縒れを防止することができる。
従来、スプーンを用いる際には糸が縒れることは宿命であった。管理釣り場などでスプーンを多用する場合には、一日で糸がだめになることを覚悟することも多かった。また、若干なりとも糸縒れが生じると、キャストの距離がのびず、ライントラブルの最大の原因ともなりストレスが多い。本考案は、その糸縒れを防止する効果をもつ。
また、トラウト以外の釣りにおいてもスプーンは有効なルアーなのであるが、糸縒れをきらってスプーンの使用が敬遠されることも多い。本考案により、他のルアーと交換しながらスプーンを気軽に使うことができるようになる。さらに、スプーンを使うさいにはスピニングリールを用いることが常識となっているが、本考案により、ベイトリールとの組み合わせも可能となる。ベイトリールは糸縒れに弱いが、近年の高性能化で小型スプーンのキャストも可能となっている。本考案との組み合わせで快適な使用が可能となる。
キャストしたルアーがポイントから外れて、高速で回収したいようなときにも、無用の糸縒れが生じない。
魚種によっては、すばやい直線的な動きを好むものもおり、そのような対象魚に対して本考案のスプーンはジグのように使うこともできる。
【考案を実施するための最良の形態】
【０００６】  図１、図２に示すように、ルアーの進行方向に向けて穴１が口を開けるような形態とする。すなわち、進行方向に対して垂直に切れ込みを入れ開口部を設ける。リトリーブ時には、ラインアイ２が前方、フックアイ３が後方となる。
そして、切れ込みの前後で逆の極率をもたせて歪めるのがよい。前方を凸面とするなら後方は凹面とする。
穴を設ける位置は後方よりにすると、回転を防止する効果は大きくなる。
【実施例】
【０００７】  図１から図４に示す。スプーンは微妙な歪みの変化によりその動きを調整する性質のものであり、本考案もその例外ではないが、図に示すものが本考案の機能を示す基本形である。【０００８】  本考案は、上記のように切れ込みを入れるという言い方で説明したが、切れ込みを入れる代りに、穴あるいは細長い穴を開けるということでも、その性能を実現することができる。穴の前後で、スプーンの歪みの極率を反転させることが有効であるが、ただ穴を開けるだけでも、若干ながらスプーンの回転が抑制されることは期待できる。【０００９】  切れ込みを入れることで穴１を設けることが最も簡易と思われるのであるが、他に本考案の機能を実現する方法として、スプーンにウイングを取り付ける方法もありうる。すなわち、切れ込みよりも後方の部分をウイングと見るなら、その部分を後付けでスプーンに付加することで、同様の機能を生む。そうすることで形態の自由度は増す。【００１０】  例えば、ウイングを一本脚で取り付ける。
図１から図４に示した形態においては、穴１を挟んで前方部と後方部が二点で接続しているのであるが、その接続部分を一点としても、基本的な機能は変わらない。【００１１】  スプーンの後端をパイプ状にする。パイプの中を水流が流れることで、穴１を水流が流れるのと同様の効果が生まれる。【００１２】  ジグと呼ばれるタイプのルアーに本考案の形状を用いる。すなわち、本考案を重くする、細長くする、などしてジグと同様の用い方が可能となる。
【産業上の利用可能性】
【００１３】  本考案はレーシングカーのウイングと似た働きをするものであり、従って、逆に本考案の形状をレーシングカー、あるいは飛行機、ロケットなどに利用できる可能性もある。さらには、プロペラやスクリューなど、高速運動時の流体力学的な振動を抑制するための利用可能性がある。
【図面の簡単な説明】
【００１４】
【図１】  本考案の斜視図
【図２】  本考案の平面図
【図３】  本考案の側面図
【図４】  穴１を進行方向正面から見た図
【符号の説明】
【００１５】１  穴
２  ラインアイ
３  フックアイ
【図１】
0003168316.tif 000003
【図２】
0003168316.tif 000004
【図３】
0003168316.tif 000005
【図４】
0003168316.tif 000006